(57)【要約】【課題】光硬化型接着剤を用いてレンズ及び鏡筒を接着固定することができ、レンズの位置ずれ又は偏心等が生じにくいレンズユニットを提供する。【解決手段】鏡筒５の内周面に、第２赤外線レンズ２の周面２４に接触する部分から、鏡筒５の正面側の端面へ通じる溝５５を形成する。これにより、第２赤外線レンズ２を鏡筒５に挿嵌して調芯を行った後に、鏡筒５の正面側の端面から溝５５へ光硬化型接着剤８を流し込み、紫外線を照射して光硬化型接着剤８の硬化による第２赤外線レンズ２及び鏡筒５の固定を行うことができる。また、鏡筒５の周方向に３つの溝５５を等間隔で形成すると共に、鏡筒５の軸方向に関して、溝５５の長さを第２赤外線レンズ２の周面２４の長さより小さく形成する。【選択図】図３
2010139566.tif 000002
【特許請求の範囲】
【請求項１】
複数の赤外線レンズと、該赤外線レンズが内部に挿嵌される鏡筒とを備えるレンズユニットにおいて、
前記鏡筒の内周面には、前記赤外線レンズの周面が接触する部分に、前記鏡筒の端面へ通じる溝が形成してあること
を特徴とするレンズユニット。
【請求項２】
複数の赤外線レンズと、該赤外線レンズが内部に挿嵌される鏡筒とを備えるレンズユニットにおいて、
前記赤外線レンズの周面には、前記赤外線レンズの正面又は背面へ通じる溝が形成してあること
を特徴とするレンズユニット。
【請求項３】
前記鏡筒に内嵌する筒状をなし、端面を前記赤外線レンズに接触させて軸方向に係る複数の赤外線レンズ間の位置決めを行うスペーサを備え、
該スペーサの外周面には、前記赤外線レンズに接触する端面へ通じる凹部が形成してあること
を特徴とする請求項１又は請求項２に記載のレンズユニット。
【請求項４】
前記鏡筒の内周面に突設され、前記赤外線レンズに外嵌して保持する環状のレンズ保持部を備え、
該レンズ保持部の内周面には、前記赤外線レンズの周面が接触する部分に、前記レンズ保持部の端面へ通じる溝が形成してあること
を特徴とする請求項１乃至請求項３のいずれか１つに記載のレンズユニット。
【請求項５】
前記鏡筒の内周面の溝は、前記内周面の周方向に等間隔で複数形成してあること
を特徴とする請求項１に記載のレンズユニット。
【請求項６】
前記赤外線レンズの周面の溝は、前記周面の周方向に等間隔で複数形成してあること
を特徴とする請求項２に記載のレンズユニット。
【請求項７】
前記レンズ保持部の内周面の溝は、前記内周面の周方向に等間隔で複数形成してあること
を特徴とする請求項４に記載のレンズユニット。
【請求項８】
前記鏡筒の軸方向に関して、前記溝の長さは、前記赤外線レンズの長さより小さいこと
を特徴とする請求項１乃至請求項７のいずれか１つに記載のレンズユニット。
【発明の詳細な説明】
【技術分野】
【０００１】
本発明は、複数の赤外線レンズを鏡筒に挿嵌し、接着剤にて赤外線レンズを鏡筒に接着固定して構成されるレンズユニットに関する。
【背景技術】
【０００２】
撮像装置は一般的にレンズユニットを備えており、レンズユニットは略円筒型の鏡筒に複数のレンズを挿嵌した構成をなしている。レンズユニットの組み立ては、鏡筒内に複数のレンズを順次挿入し、レンズの調芯（レンズの中心軸の位置合わせ）を行った後、接着剤を用いてレンズを鏡筒に接着固定することで行われる。レンズ間の僅かな位置ずれ又は偏心等が生じた場合、レンズユニットの光学性能が著しく低下するため、レンズの調芯は精度よく行う必要があり、また組み立て後にレンズの位置ずれ又は偏心等が生じることがないように、レンズ及び鏡筒は確実に接着固定する必要がある。レンズ及び鏡筒を固定するための接着剤には、紫外線の照射により硬化する光硬化型接着剤が用いられる場合が多い。光硬化型接着剤を用いることによって、短時間に且つ高精度にレンズ及び鏡筒を接着固定することができるという利点がある。
【０００３】
特許文献１においては、レンズの外周面又は鏡枠の内周面に複数個の突起部を突設し、突起部と鏡枠内周面又はレンズ外周面とを嵌合すると共に、レンズ外周面及び鏡枠内周面の間に形成されるすき間に接着剤を介装することにより、レンズを鏡枠内に固定保持する構成のレンズ保持装置が提案されている。このレンズ保持装置は、接着剤を介してレンズを固定保持する際に、接着剤がレンズの有効径内にはみ出すことを確実に防止できる。また、突起部によりレンズのラジアル方向の位置決めを行うことができ、レンズ及び鏡枠の中心を一致させることができるため、レンズ系の品質及び信頼性の向上を図ることができる。
【０００４】
近年、赤外線による撮像を行う赤外線撮像装置が普及している。例えば、車輌に赤外線撮像装置を搭載して夜間などに車輌周辺の撮像を行い、衝突の可能性がある歩行者を検出して運転者に警告を発するナイトビジョンシステムが実用化されている。赤外線撮像装置は、赤外線を透過及び集光する赤外線レンズと、赤外線を受光する赤外線撮像素子とを備えることによって、撮像を行っている。
【特許文献１】特開平２−１１０５０３号公報
【発明の開示】
【発明が解決しようとする課題】
【０００５】
しかし、赤外線撮像装置が備える赤外線レンズは、ゲルマニウム（Ｇｅ）、硫化亜鉛（ＺｎＳ）、セレン化亜鉛（ＺｎＳｅ）又はカルコゲナイドガラス等の材料で製造されており、赤外線は透過するが、紫外線及び可視光線の透過率は低い。またレンズユニットの鏡筒は、アルミ合金などの金属又は合成樹脂等で形成されており、紫外線は透過しない。よって、レンズユニット内に紫外線を透光させることができないため、赤外線撮像装置のレンズユニットでは光硬化型接着剤を用いて赤外線レンズ及び鏡筒を接着固定することはできないという問題がある。
【０００６】
このため、赤外線撮像装置のレンズユニットでは赤外線レンズ及び鏡筒を固定するために熱硬化型接着剤が用いられる。しかし、熱硬化型接着剤は硬化するまでの時間が長く、また、赤外線レンズ及び鏡筒の熱膨張差によって接着剤の硬化時に位置ずれ又は偏心等が生じる虞があるため、レンズユニットの組み立ての作業性が低下し、赤外線レンズの調芯の精度が低下するという問題があった。
【０００７】
特許文献１に記載のレンズ保持装置は、突起部により生じるレンズ外周面及び鏡枠内周面のすき間に接着剤を塗布する構成であり、接着剤に紫外線を照射して硬化させることができるため、紫外線硬化型の接着剤を用いてレンズ及び鏡枠を接着固定することができる。しかしこのレンズ保持装置は、レンズの外周面と鏡枠の内周面とが突起部の突出端部でしか接触しない構成であるため、接着剤の硬化後であってもレンズの位置ずれ又は偏心等が生じやすいという問題がある。
【０００８】
本発明は、斯かる事情に鑑みてなされたものであって、その目的とするところは、光硬化型接着剤を用いてレンズ及び鏡筒を接着固定することができ、レンズの位置ずれ又は偏心等が生じにくいレンズユニットを提供することにある。
【課題を解決するための手段】
【０００９】
本発明に係るレンズユニットは、複数の赤外線レンズと、該赤外線レンズが内部に挿嵌される鏡筒とを備えるレンズユニットにおいて、前記鏡筒の内周面には、前記赤外線レンズの周面が接触する部分に、前記鏡筒の端面へ通じる溝が形成してあることを特徴とする。
【００１０】
また、本発明に係るレンズユニットは、複数の赤外線レンズと、該赤外線レンズが内部に挿嵌される鏡筒とを備えるレンズユニットにおいて、前記赤外線レンズの周面には、前記赤外線レンズの正面又は背面へ通じる溝が形成してあることを特徴とする。
【００１１】
また、本発明に係るレンズユニットは、前記鏡筒に内嵌する筒状をなし、端面を前記赤外線レンズに接触させて軸方向に係る複数の赤外線レンズ間の位置決めを行うスペーサを備え、該スペーサの外周面には、前記赤外線レンズに接触する端面へ通じる凹部が形成してあることを特徴とする。
【００１２】
また、本発明に係るレンズユニットは、前記鏡筒の内周面に突設され、前記赤外線レンズに外嵌して保持する環状のレンズ保持部を備え、該レンズ保持部の内周面には、前記赤外線レンズの周面が接触する部分に、前記レンズ保持部の端面へ通じる溝が形成してあることを特徴とする。
【００１３】
また、本発明に係るレンズユニットは、前記鏡筒の内周面の溝が、前記内周面の周方向に等間隔で複数形成してあることを特徴とする。
【００１４】
また、本発明に係るレンズユニットは、前記赤外線レンズの周面の溝が、前記周面の周方向に等間隔で複数形成してあることを特徴とする。
【００１５】
また、本発明に係るレンズユニットは、前記レンズ保持部の内周面の溝が、前記内周面の周方向に等間隔で複数形成してあることを特徴とする。
【００１６】
また、本発明に係るレンズユニットは、前記鏡筒の軸方向に関して、前記溝の長さは、前記赤外線レンズの長さより小さいことを特徴とする。
【００１７】
本発明においては、複数の赤外線レンズが挿嵌される鏡筒の内周面に溝を形成する。この溝は、鏡筒の内周面において、鏡筒に挿嵌された赤外線レンズの周面が接触する部分に形成する。よって、この溝に接着剤を塗布することで赤外線レンズと鏡筒とを接着固定することができる。
更にこの溝は、鏡筒の内周面からその端面に通じるように形成する。これにより、鏡筒に赤外線レンズを挿嵌した後で、鏡筒の端面から溝へ接着剤を流し込むことができ、溝に塗布された接着剤へ鏡筒の端面側から紫外線を照射することができるため、赤外線レンズ及び鏡筒の固定を光硬化型接着剤を用いて行うことができる。
【００１８】
また、本発明においては、赤外線レンズの周面に溝を形成する。この溝に接着剤を塗布することで、赤外線レンズと鏡筒とを接着固定することができる。
更にこの溝は、赤外線レンズのレンズ面が設けられた正面又は背面の少なくとも一方に通じるように形成する。これにより、赤外線レンズを鏡筒に挿嵌した後、赤外線レンズの正面側又は背面側から溝へ接着剤を流し込むことができ、溝に塗布された接着剤へ鏡筒の端面側から紫外線を照射することができるため、光硬化型接着剤を用いて赤外線レンズ及び鏡筒の固定を行うことができる。
【００１９】
また、本発明においては、鏡筒には複数の赤外線レンズが軸方向に並べて挿嵌されるが、隣り合う２つの赤外線レンズ間には、鏡筒の軸方向についての位置決めのために、鏡筒に内嵌する筒状のスペーサを介在させる。スペーサはその両端面がそれぞれ赤外線レンズに当接し、スペーサの軸方向の長さによりレンズ間の距離が規定される。
上述のように鏡筒の内周面又は赤外線レンズの周面に溝を形成して接着剤を塗布した場合、鏡筒及び赤外線レンズの間のわずかなすき間に接着剤が流れ込み、赤外線レンズのレンズ面に接着剤が付着する可能性がある。そこで、鏡筒に内嵌するスペーサの外周面には、スペーサの端面に通じる凹部を形成しておく。これにより、鏡筒及び赤外線レンズのすき間を流れた接着剤は、スペーサの外周面に形成された凹部に流れ込むため、赤外線レンズのレンズ面への接着剤の付着を防止できる。
【００２０】
また、本発明においては、鏡筒に挿嵌される複数の赤外線レンズは、その直径が全て同じとは限らないため、鏡筒の内周面に突設する態様でレンズ保持部を設け、直径が小さい赤外線レンズをレンズ保持部にて保持する。レンズ保持部は、赤外線レンズに外嵌する環状であり、赤外線レンズの周面に接触した状態でレンズを保持する構成とする。
更に、レンズ保持部には、赤外線レンズの周面が接触する部分に溝を形成する。よって、この溝に接着剤を塗布することで赤外線レンズとレンズ保持部とを接着固定することができ、赤外線レンズと鏡筒とを固定することができる。またこの溝は、環状のレンズ保持部の端面へ通じるように形成する。これにより、鏡筒内に挿入した赤外線レンズをレンズ保持部に保持させた後、鏡筒内を通してレンズ保持部の溝に接着剤を流し込むことができ、溝に塗布された接着剤へ紫外線を照射することができるため、光硬化型接着剤を用いて赤外線レンズ及びレンズ保持部の固定を行うことができる。
【００２１】
また、本発明においては、鏡筒の内周面、赤外線レンズの周面又はレンズ保持部の内周面に上述の溝を複数形成すると共に、複数の溝を周方向に等間隔で配置する。これにより、鏡筒と赤外線レンズとの接着固定を効率よく且つ強固に行うことができる。
【００２２】
また、本発明においては、鏡筒の軸方向に関して、鏡筒の溝の長さが赤外線レンズの長さより小さくなるように、鏡筒に溝を形成する。これにより、赤外線レンズが鏡筒に挿嵌された場合に、溝の露出部分が鏡筒の端面又は赤外線レンズの正背面のみとなるため、溝に塗布された接着剤の外部への流出を抑制することができる。
【発明の効果】
【００２３】
本発明による場合は、鏡筒の内周面又は赤外線レンズの周面に溝を形成し、赤外線レンズを鏡筒に挿嵌した後でこの溝へ接着剤を流し込んで紫外線を照射することができる構成とすることにより、溝に光硬化型接着剤を塗布して赤外線レンズ及び鏡筒を接着固定することができる。よって、レンズユニットの組み立て時にレンズの調芯を行った後、光硬化型接着剤を用いて迅速に赤外線レンズ及び鏡筒を接着固定することができる。加熱の必要はないため、熱膨張差による赤外線レンズの位置ずれ又は偏心等が発生する虞はない。また、鏡筒の内周面又は赤外線レンズの周面の周長に対して、溝が占める部分は少なくてよいため、鏡筒の内周面に赤外線レンズの周面を密着させて、強固に嵌合させることができる。
【発明を実施するための最良の形態】
【００２４】
（実施の形態１）
以下、本発明をその実施の形態を示す図面に基づき具体的に説明する。図１は、本発明の実施の形態１に係るレンズユニットの構成を示す斜視図であり、図２は同レンズユニットの構成を示す分解斜視図であり、図３は同レンズユニットの構成を示す断面図である。
【００２５】
本発明の実施の形態１に係るレンズユニットは、第１赤外線レンズ１及び第２赤外線レンズ２、鏡筒５、レンズ押さえ６及びスペーサ７を備えており、鏡筒５に第１赤外線レンズ１、スペーサ７、第２赤外線レンズ２が順次挿嵌され、鏡筒５の一端にレンズ押さえ６が固定されて構成されている。なお以下においては、鏡筒５の軸方向について、第２赤外線レンズ２側（図３上側）を正面側といい、第１赤外線レンズ１側（図３下側）を背面側という。
【００２６】
第１赤外線レンズ１及び第２赤外線レンズ２は、硫化亜鉛、ゲルマニウム又はカルコゲナイドガラス等を原料として製造され、例えば８〜１２μｍ帯の赤外線を透過するレンズである。第１赤外線レンズ１は、円板状をなしており、正面側に凸面１１を有し、背面側に凹面１２を有するレンズ、所謂メニスカスレンズである。また第１赤外線レンズ１は、正面及び背面の周縁部分を平滑に形成した鍔部１３を有しており、鍔部１３は第１赤外線レンズ１を鏡筒５内に保持するための部分である。
【００２７】
同様に、第２赤外線レンズ２は、円板状をなしており、正面側に凸面２１を有し、背面側に凹面２２を有するメニスカスレンズである。第２赤外線レンズ２は、正面及び背面の周縁部分を平滑に形成した鍔部２３を有しており、鍔部２３は第２赤外線レンズ２を鏡筒５内に保持するための部分である。また第２赤外線レンズ２は、第１赤外線レンズ１より径が大きく、厚さが大きい。よって、軸方向に関して、第２赤外線レンズ２の周面２４の幅（長さ）は、第１赤外線レンズ１の周面１４の幅より大きい。
【００２８】
鏡筒５は、円筒状をなしており、例えばアルミ合金などを用いて製造される。第１赤外線レンズ１の直径は鏡筒５の内径より小さく、鏡筒５には第１赤外線レンズ１を保持するためのレンズ保持部５１が形成されている。レンズ保持部５１は、鏡筒５の背面側端部の内周面に一周に亘って突設された環状をなし、正面側から背面側へ内径が段階的に小さくなる階段状をなした部分である。レンズ保持部５１は、第１赤外線レンズ１の周面１４に接する部分と、第１赤外線レンズ１の鍔部１３の背面に接する部分とを有しており、正面側から第１赤外線レンズ１を鏡筒５内に挿入して周面１４及び鍔部１３の背面をレンズ保持部５１に接触させることにより、第１赤外線レンズ１は鏡筒５のレンズ保持部５１に嵌合されて、保持される。
【００２９】
スペーサ７は、円筒状をなしており、例えば鏡筒５と同じくアルミ合金などを用いて製造される。スペーサ７の外径は鏡筒５の内径と略同じにしてあり、正面側からスペーサ７を鏡筒５内へ挿入して嵌合させることができる。またスペーサ７の内周面は、内径が正面側から背面側へ徐々に小さくなるテーパ状に形成してある。鏡筒５内において、スペーサ７の背面側の端面は第１赤外線レンズ１の鍔部１３の正面に当接し、スペーサ７の正面側の端面は第２赤外線レンズ２の鍔部２３の背面に当接する。即ち、第１赤外線レンズ１と第２赤外線レンズ２との間にスペーサ７が介在しており、これにより第１赤外線レンズ１と第２赤外線レンズ２との位置決めが行われる。
【００３０】
鏡筒５の内径は第２赤外線レンズ２の外径に略等しいか又は若干大きく形成してあり、正面側から第２赤外線レンズ２を鏡筒５内へ挿入して嵌合させることができる。また、第１赤外線レンズ１及びスペーサ７を鏡筒５内に挿嵌した後、第２赤外線レンズ２を鏡筒５内に挿入し、第２赤外線レンズ２の鍔部２３の背面がスペーサ７に接触した状態においては、第２赤外線レンズ２の周面２４の一部が鏡筒５から露出するように、鏡筒５及びスペーサ７の軸方向の長さが調節してある。これにより、第２赤外線レンズ２を鏡筒５内に挿入した後、鏡筒５から露出する第２赤外線レンズ２の周面２４を冶具などで把持し、第２赤外線レンズ２を中心軸に交差する平面上で移動させて又は回転させることによって、調芯作業を行うことができる。
【００３１】
また、鏡筒５の内周面には、第２赤外線レンズ２の周面２４が接触する部分に、光硬化型接着剤８を流し込んで塗布するための３つの溝５５が形成されている。図４は、本発明の実施の形態１に係るレンズユニットの鏡筒５に形成された溝５５の構成を示す模式図であり、レンズ押さえ６を外した状態のレンズユニットの正面視を図示したものである。図示のように、鏡筒５の溝５５は、鏡筒５の内周面から正面側の端面へ通じるように形成されており、鏡筒５の端面に溝５５が露出している。また、３つの溝５５は、鏡筒５の内周面の周方向に略等間隔に形成されている。溝５５が鏡筒５の正面側の端面に通じる構成とすることによって、鏡筒５に第２赤外線レンズ２を挿嵌して調芯を行った後、溝５５に光硬化型接着剤８を流し込んで塗布することができ、更にその後に紫外線を溝５５内の光硬化型接着剤８へ照射して硬化させることができる。また周方向に等間隔で３つの溝５５を形成することによって、光硬化型接着剤８による第２赤外線レンズ２の固定を強固に、且つ、効率よく行うことができる。
【００３２】
また、鏡筒５の軸方向に関して、溝５５の長さ（深さ）は、第２赤外線レンズ２の周面２４の長さ（幅）より小さく形成されている。よって溝５５は、鏡筒５の正面側は開放された状態であるが、内周面側は第２赤外線レンズ２の周面２４によって閉塞されるため、溝５５内に流し込まれた光硬化型接着剤８が鏡筒５内に流れ込むことを抑制することができる。
【００３３】
また図示は省略するが、鏡筒５の外周面の正面側端部近傍にはねじ溝が形成されており、レンズ押さえ６の内周面に形成されたねじ溝に螺合させることによって、鏡筒５及びレンズ押さえ６の固定を行うことができるようにしてある。レンズ押さえ６は、鏡筒５のねじ溝に螺合するねじ溝が内周面に形成された筒部６１と、この筒部６１の正面側端部から内側へ向けて設けられ、鏡筒５に挿嵌された第２赤外線レンズ２の鍔部２３に当接する押さえ部６２とで構成され、押さえ部６２には第２赤外線レンズ２の凸面を露出させるための開口６３が形成されている。レンズ押さえ６を鏡筒５に螺合させることによって、第２赤外線レンズ２は軸方向に関してレンズ押さえ６の押さえ部６２及びスペーサ７の正面側端面の間に挟まれて強固に固定される。なお、レンズ押さえ６の鏡筒５への螺合は、第２赤外線レンズ２を鏡筒５に挿嵌して調芯を行い、溝５５に光硬化型接着剤８を流し込んで紫外線照射により硬化させた後で行うものとする。
【００３４】
以上の構成の実施の形態１に係るレンズユニットは、第２赤外線レンズ２の周面２４に接触する鏡筒５の内周面に、鏡筒５の正面側端面へ通じる溝５５を形成することによって、第２赤外線レンズ２を鏡筒５に挿嵌して調芯を行った後に、鏡筒５の端面から溝５５へ光硬化型接着剤８を流し込み、紫外線を照射して光硬化型接着剤８の硬化による第２赤外線レンズ２及び鏡筒５の固定を行うことができる。これにより、第２赤外線レンズ２及び鏡筒５の固定を迅速に行うことができると共に、加熱の必要がないため熱硬化型接着剤を用いた場合の熱膨張差による位置ずれ又は偏心等が発生する虞がない。よって、第２赤外線レンズ２の調芯を高精度に行うことができ、レンズユニットの光学性能及び信頼性等を向上させることができる。
【００３５】
また、鏡筒５の周方向に３つの溝５５を等間隔で形成することにより、光硬化型接着剤８による第２赤外線レンズ２の固定を強固に、且つ、効率よく行うことができる。鏡筒５の内周面の周長に対して溝５５が占める部分が少なく、鏡筒５の内周面に第２赤外線２の周面２３を密着させることができ、鏡筒５に第２赤外線レンズ２を強固に嵌合させることができる。また、鏡筒５の軸方向に関して、鏡筒５の溝５５の長さを第２赤外線レンズ２の周面２４の長さより小さく形成することにより、溝５５の内周面側を第２赤外線レンズ２の周面２４で覆って閉塞することができるため、溝５５内に流し込まれた光硬化型接着剤８が鏡筒５内に流れ込むことを抑制することができる。
【００３６】
なお、本実施の形態においては、鏡筒５に３つの溝５５を形成する構成としたが、これに限るものではなく、２つ以下の溝５５又は４つ以上の溝５５を鏡筒５に形成してもよい。また、鏡筒５に第１赤外線レンズ１及び第２赤外線レンズ２の２つのレンズを挿嵌する構成としたが、これに限るものではなく、３つ以上のレンズを鏡筒内に挿嵌する構成であってもよい。また、第２赤外線レンズ２の周面２４の一部が鏡筒５から露出する構成としたが、これに限るものではなく、周面２４が鏡筒５内に全て収まる構成であってもよい。
【００３７】
（変形例）
図５は、本発明の実施の形態１の変形例に係るレンズユニットの鏡筒５ａに形成された溝５５の構成を示す模式図であり、レンズ押さえ６を外した状態のレンズユニットの正面視を図示したものである。変形例に係るレンズユニットの鏡筒５ａには、内周面の一周に亘って溝５５ａが形成されている。よって鏡筒５ａの溝５５ａは、鏡筒５ａの正面側の端面に一周に亘って通じており、正面側の端面に一周に亘って露出している。軸方向に関して、溝５５ａの長さは第２赤外線レンズ２の周面２４の長さより小さい。これにより、第２赤外線レンズ２を鏡筒５ａに挿嵌させることができ、且つ、挿嵌して調芯を行った後に、溝５５ａに光硬化型接着剤８を流し込み、紫外線を照射して第２赤外線レンズ２及び鏡筒５ａの固定を行うことができる。第２赤外線レンズ２は一周に亘って光硬化型接着剤８により鏡筒５ａに固定されるため、より強固に固定を行うことができる。
【００３８】
（実施の形態２）
図６は、本発明の実施の形態２に係るレンズユニットの構成を示す断面図である。上述の実施の形態１に係るレンズユニットは、第２赤外線レンズ２を固定する光硬化型接着剤８を流し込むための溝５５を鏡筒５に有するのみである。これに対して実施の形態２に係るレンズユニットは、第１赤外線レンズ１を固定する光硬化型接着剤８を流し込むための溝２５６を鏡筒２０５に形成した構成である。
【００３９】
実施の形態２に係るレンズユニットの鏡筒２０５は、実施の形態１に係るレンズユニットの鏡筒５と略同じ構成であるが、第１赤外線レンズ１のレンズ保持部５１に溝２５６が形成されている点で異なる。詳しくは、鏡筒２０５のレンズ保持部５１は、第１赤外線レンズ１の周面１４に接する部分と、第１赤外線レンズ１の鍔部１３の背面に接する部分とを有しているが、このうち周面１４に接する部分に溝２５６が形成されている。溝２５６は、環状をなすレンズ保持部５１の内周面から正面側の端面に通じるように形成されている。また鏡筒２０５の軸方向に関して、溝２５６の長さ（深さ）は第１赤外線レンズ１の周面１４の長さ（幅）より小さく形成されている。更に、図示は省略するが、鏡筒２０５の正面側に形成された溝５５と同様に、鏡筒２０５のレンズ保持部５１には、周方向に３つの溝２５６が等間隔で形成されている。
【００４０】
これにより、鏡筒２０５に第１赤外線レンズ１を挿入してレンズ保持部５１に嵌合させて保持させた後、鏡筒２０５内を通してレンズ保持部５１に形成された溝２５６へ光硬化型接着剤８を流し込み、鏡筒２０５内を通して溝２５６内の光硬化型接着剤８へ紫外線を照射して硬化させることができる。よって、第２赤外線レンズ２の場合と同様に、第１赤外線レンズ１及び鏡筒２０５の固定を迅速に行うことができ、第１赤外線レンズ１の位置ずれ又は偏心等が発生する虞がないため、レンズユニットの光学性能及び信頼性等を向上させることができる。
【００４１】
なお、実施の形態２に係るレンズユニットのその他の構成は、実施の形態１に係るレンズユニットの構成と同様であるため、同様の箇所には同じ符号を付して詳細な説明を省略する。
【００４２】
（変形例）
図７は、本発明の実施の形態２の変形例に係るレンズユニットの構成を示す断面図である。上述の図６に示した実施の形態２に係るレンズユニットの溝２５６は、レンズ保持部５１の正面側の端面へのみ通じるように、即ち鏡筒５の内側へ（正面側へ）のみ露出するように形成されている。これに対して、変形例に係るレンズユニットの鏡筒２０５ａのレンズ保持部５１に形成された溝２５６ａは、レンズ保持部５１の正面側端面から背面側端面へ、即ち鏡筒５の内側から外側へ（正面側から背面側へ）貫通するように形成されている。
【００４３】
例えば溝２５６ａ内に流し込まれた光硬化型接着剤８の量が多いなどの要因で、光硬化型接着剤８がレンズ保持部５１及び第１赤外線レンズ１の鍔部１３の背面の接触部分に侵入し、第１赤外線レンズ１の凹面１２に流れ込む虞がある。しかし、変形例に係るレンズユニットのように溝２５６ａを内外に貫通させることによって、大量の光硬化型接着剤８が流し込まれた場合であっても、溝２５６ａ内の光硬化型接着剤８が鏡筒５の外部へ流れ出るため、第１赤外線レンズ１の凹面１２へ流れ込む虞はない。よって、レンズユニットの製造工程又は組立工程等での不良の発生を抑制できる。
【００４４】
（実施の形態３）
図８は、本発明の実施の形態３に係るレンズユニットの構成を示す断面図である。上述の実施の形態２に係るレンズユニットは、鏡筒２０５の正面側に形成された溝５５に光硬化型接着剤８が大量に流し込まれた場合又は第２赤外線レンズ２の周面２４と鏡筒５の内周面との間のすき間が大きい場合等に、このすき間を通して光硬化型接着剤８が第２赤外線レンズ２及びスペーサ７の接触面のすき間から第２赤外線レンズ２の凹面２２へ流れ込む虞がある（実施の形態１に係るレンズユニットも同様である）。そこで、実施の形態３に係るレンズユニットは、第２赤外線レンズ２及びスペーサ７の接触面から凹面２２への光硬化型接着剤８の流れ込みを抑制できる構成である。
【００４５】
実施の形態３に係るレンズユニットは、第２赤外線レンズ２の周面２４及び鏡筒２０５の内周面のすき間に流れ込んだ光硬化型接着剤８を溜めるための凹部３７１が形成されたスペーサ３０７を備えている。実施の形態３のスペーサ３０７は、実施の形態１及び２のスペーサ７と略同じ構成であるが、その外周面に凹部３７１が形成されている点が異なる。凹部３７１は、スペーサ３０７の外周面から正面側の端面に通じるように形成され、鏡筒２０５内に挿嵌されたスペーサ３０７の正面側端面から凹部３０７が露出するようにしてある。換言すれば凹部３７１は、スペーサ３０７において第２赤外線レンズ２の鍔部２３の背面及び鏡筒２０５の内周面に接触する部分に形成されている。
【００４６】
またスペーサ３０７には、外周面の周方向に等間隔で３つの（鏡筒２０５の溝５５と同数の）凹部３７１が形成されている。よってスペーサ３０７を鏡筒２０５に挿嵌する場合には、鏡筒２０５に形成された３つの溝５５の位置にスペーサ３０７の３つの凹部３７１の位置を合わせて挿嵌する。なおスペーサ３０７の外周面の一周に亘って凹部３７１を形成してもよく、この場合には鏡筒２０５に対するスペーサ３０７の位置合わせは必要ない。
【００４７】
鏡筒２０５の溝５５に流し込まれた光硬化型接着剤８が、第２赤外線レンズ２の周面２４及び鏡筒２０５の内周面のすき間に流れ込んだ場合、光硬化型接着剤８はスペーサ３０７の凹部３７１に到達し、凹部３７１内に溜められる。このため、光硬化型接着剤８が第２赤外線レンズ２及びスペーサ３０７の接触部分から第２赤外線レンズ２の凹面２２へ流れ出ることを防止できる。また、更に大量の光硬化型接着剤８がスペーサ３０７の凹部３７１内に流れ込んだ場合であっても、図８に示すように第２赤外線レンズ２を上側としてレンズユニットの組み立てを行っていれば、凹部３７１に溜まった光硬化型接着剤８は、鏡筒２０５の内周面及びスペーサ３０７の外周面のすき間を通って下側へ流れるため、第２赤外線レンズ２の凹面２へ流れ出ることを防止できる。
【００４８】
以上の構成の実施の形態３に係るレンズユニットは、鏡筒２０５の溝５５に対応させて、スペーサ３０７の外周面に凹部３７１を形成することによって、鏡筒２０５及び第２赤外線レンズ２のすき間から第２赤外線レンズ２の凹面２２へ光硬化型接着剤８が流れ込むことを防止できるため、レンズユニットの光学性能の低下を防止できる。
【００４９】
なお、実施の形態３に係るレンズユニットのその他の構成は、実施の形態２に係るレンズユニットの構成と同様であるため、同様の箇所には同じ符号を付して詳細な説明を省略する。
【００５０】
（実施の形態４）
図９は、本発明の実施の形態４に係るレンズユニットの構成を示す断面図である。上述の実施の形態１〜３に係るレンズユニットは、光硬化型接着剤８を流し込むための溝を鏡筒に形成した構成である。これに対して実施の形態４に係るレンズユニットは、赤外線レンズに溝を形成した構成である。このため実施の形態４に係るレンズユニットの鏡筒４０５には溝は形成されていない。
【００５１】
実施の形態４に係るレンズユニットは、第１赤外線レンズ４０１の周面１４に溝４１５が形成されている。溝４１５は、第１赤外線レンズ４０１の周面１４の周方向に等間隔で３つ形成されると共に、第１赤外線レンズ４０１の鍔部１３の正面に通じるように形成され、鍔部１３の背面には通じないように形成されている（即ち、溝４１５は第１赤外線レンズ４０１の正面から背面へ貫通しないように形成されている）。
【００５２】
同様に、第２赤外線レンズ４０２の周面２４には溝４２５が形成されている。溝４２５は、第２赤外線レンズ４０２の周面２４の周方向に等間隔で３つ形成されると共に、第２赤外線レンズ４０２の鍔部２３の正面に通じるように形成され、鍔部２３の背面に通じないように形成されている。
【００５３】
よって、鏡筒４０５に第１赤外線レンズ４０１を挿入してレンズ保持部５１に嵌合して保持させた後、鏡筒４０５内を通して第１赤外線レンズ４０１の溝４１５に光硬化型接着剤８を流し込んで塗布し、鏡筒４０５内を通して溝４１５内の光硬化型接着剤８へ紫外線を照射して硬化させることができる。次いで、鏡筒４０５にスペーサ７及び第２赤外線レンズ４０２を挿嵌し、第２赤外線レンズ４０２の調芯を行った後、第２赤外線レンズ４０２の溝４２５へ光硬化型接着剤８を流し込んで塗布し、正面側から紫外線を溝４２５内の光硬化型接着剤８へ照射して硬化させることができる。
【００５４】
以上の構成の実施の形態４に係るレンズユニットは、第１赤外線レンズ４０１の周面１４及び第２赤外線レンズ４０２の周面２４にそれぞれ溝４１５及び４２５を形成することによって、光硬化型接着剤８を用いて鏡筒４０５に第１赤外線レンズ４０１及び第２赤外線レンズ４０２を迅速かつ確実に接着固定することができるため、レンズユニットの光学性能及び信頼性等を向上させることができる。
【００５５】
なお、本実施の形態においては、第１赤外線レンズ４０１及び第２赤外線レンズ４０２にそれぞれ３つの溝４１５及び４２５を形成する構成としたが、これに限るものではなく、２つ以下又は４つ以上の溝を形成する構成であってもよい。また、溝を第１赤外線レンズ４０１及び第２赤外線レンズ４０２の一周に亘って形成する構成であってもよい。また、溝４１５及び４２５がレンズの正面側にのみ露出し、背面側に露出しない構成としたが、これに限るものではなく、レンズの正面側及び背面側に露出する、即ちレンズの正面側から背面側へ貫通する構成としてもよい。
【００５６】
なお、実施の形態４に係るレンズユニットのその他の構成は、実施の形態１に係るレンズユニットの構成と同様であるため、同様の箇所には同じ符号を付して詳細な説明を省略する。
【００５７】
（実施の形態５）
図１０は、本発明の実施の形態５に係るレンズユニットの構成を示す分解斜視図であり、図１１は同レンズユニットの構成を示す断面図である。上述の実施の形態１〜４に係るレンズユニットは赤外線レンズを２つ備える構成であるが、実施の形態５に係るレンズユニットは赤外線レンズを３つ備える構成である。
【００５８】
実施の形態５に係るレンズユニットは、第１〜第３赤外線レンズ５０１〜５０３、鏡筒５０５、レンズ押さえ６、第１スペーサ５０７及び第２スペーサ５０９を備えている。レンズユニットは、鏡筒５０５に第１赤外線レンズ５０１、第１スペーサ５０７、第２赤外線レンズ５０２、第２スペーサ５０９、第３赤外線レンズ５０３が順次挿嵌され、鏡筒５０５の正面側にレンズ押さえ６が固定されて構成されている。
【００５９】
第１赤外線レンズ５０１は、円板状をなしており、正面側に凸面５１１を有し、背面側に凹面５１２を有するレンズである。第１赤外線レンズ５０１は、正面及び背面の周縁部分を平滑に形成した鍔部５１３を有しており、鍔部５１３は第１赤外線レンズ５０１を鏡筒５０５内に保持するための部分である。同様に、第２赤外線レンズ５０２は、正面側に凹面５２１を有し、背面側に凸面５２２を有するレンズであり、正面及び背面の周縁部分を平滑に形成した鍔部５２３を有している。また、第３赤外線レンズ５０３は、正面側に凸面５３１を有し、背面側に凹面５３２を有するレンズであり、背面の周縁部分が平滑に形成されている。第２赤外線レンズ５０２及び第３赤外線レンズ５０３は直径が略同じであり、第１赤外線レンズ５０１より直径が大きい。
【００６０】
鏡筒５０５は、円筒状をなしており、背面側に第１赤外線レンズ５０１を保持するためのレンズ保持部５５１が形成されている。レンズ保持部５５１は、鏡筒５０５の背面側端部に内周面の一周に亘って突設された環状をなし、正面側から背面側への内径が段階的に小さくなる階段状をなした部分である。レンズ保持部５５１は、第１赤外線レンズ５０１の周面５１４に接する部分と、第１赤外線レンズ５０１の鍔部５１３の背面に接する部分とを有しており、正面側から第１赤外線レンズ５０１を鏡筒５０５内に挿入して周面５１４及び鍔部５１３の背面をレンズ保持部５５１に接触させることにより、第１赤外線レンズ５０１はレンズ保持部５５１に嵌合し、保持される。
【００６１】
また、レンズ保持部５５１は、第１赤外線レンズ５０１の周面５１４に接する部分に、光硬化型接着剤８を流し込むための溝５５５が形成されている。溝５５５は、環状をなすレンズ保持部５５１の内周面から正面側の端面に通じるように形成されている。また鏡筒５０５の軸方向に関して、溝５５５の長さは第１赤外線レンズ５０１の周面５１４の長さ（幅）より小さく形成されている。更に、レンズ保持部５５１には、周方向に３つの溝５５５が等間隔で形成されている。
【００６２】
第１スペーサ５０７は、円筒状をなし、外径が鏡筒５０５の内径と略同じであり、正面側から第１スペーサ５０７を鏡筒５０５内に挿入して嵌合させることができる。また第１スペーサ５０７内は、内径が正面側から背面側へ徐々に小さくなるテーパ状に形成してある。鏡筒５０５内において、第１スペーサ５０７の背面側の端面は第１赤外線レンズ５０１の鍔部５１３の正面に当接し、第１スペーサ５０７の正面側の端面は第２赤外線レンズ５０２の鍔部２３の背面に当接する。即ち、第１赤外線レンズ５０１及び第２赤外線レンズ５０２の間に第１スペーサ５０７が介在しており、これにより第１赤外線レンズ５０１及び第２赤外線レンズ５０２の位置決めが行われる。
【００６３】
鏡筒５０５の内径は第２赤外線レンズ５０２及び第３赤外線レンズ５０３の内径に等しいか又は若干大きく形成してあり、第１赤外線レンズ５０１及び第１スペーサ５０７を鏡筒５０５内に挿嵌した後、第２赤外線レンズ５０２を鏡筒５０５内に挿入して、鏡筒５０５の軸方向の略中央位置に第２赤外線レンズ５０２を嵌合させることができる。鏡筒５０５の内周面には、第２赤外線レンズ５０２の周面５２４との接触部分から、鏡筒５０５の正面側の端面へ通じるように、光硬化型接着剤８を流し込んで塗布するための溝５５６が形成されている。即ち溝５５６は、鏡筒５０５の正面側端面に露出するように形成されている。また鏡筒５０５の内周面には周方向に３つの溝５５６が等間隔で形成されている。
【００６４】
第２スペーサ５０９は、円筒状をなし、外径が鏡筒５０５の内径と略同じであり、正面側から第２スペーサ５０９を鏡筒５０５内に挿入して嵌合させることができる。鏡筒５０５内において、第２スペーサ５０９の背面側の端面は第２赤外線レンズ５０２の鍔部５２３の正面に当接し、第２スペーサの正面側の端面は第３赤外線レンズ５０３の背面の平滑部分に当接する。即ち、第２赤外線レンズ５０２及び第３赤外線レンズ５０３の間に第２スペーサ５０９が介在しており、これにより第２赤外線レンズ５０２及び第３赤外線レンズ５０３の位置決めが行われる。
【００６５】
鏡筒５０５には第３赤外線レンズ５０３を挿嵌することができ、鏡筒５０５に挿嵌された第２スペーサ５０９に第３赤外線レンズ５０３を当接させた状態においては、第３赤外線レンズ５０３の周面５３４の一部が鏡筒５０５から露出するように、第２スペーサ５０９及び鏡筒５０５の長さが調節してある。これにより、第３赤外線レンズ５０３を鏡筒５０５内に挿入した後、鏡筒５０５から露出する周面５３４を把持して、第３赤外線レンズ５０３の調芯作業を行うことができる。
【００６６】
また、鏡筒５０５の内周面には、第３赤外線レンズ５０３の周面５３４が接触する部分に、光硬化型接着剤８を流し込んで塗布するための溝５５７が形成されている。溝５５７は、第３赤外線レンズ５０３の周面５３４が接触する鏡筒５０５の正面側端部近傍の内周面から、鏡筒５０５の正面側端面に通じるように形成され、鏡筒５０５の正面側端面から外側に露出する。鏡筒５０５の軸方向に関して、溝５５７の長さは第３赤外線レンズ５０３の周面５３４の長さ（幅）より小さく形成されている。また溝５５７は鏡筒５０５の内周面に３つ形成されており、３つの溝５５７は周方向に等間隔で、且つ、第２赤外線レンズ５０２を接着固定する光硬化型接着剤８を流し込むための３つの溝５５６と重ならない位置に形成されている。
【００６７】
鏡筒５０５の外周面の正面側端部近傍にはねじ溝が形成されており、レンズ押さえ６の内周面に形成されたねじ溝に螺合させることによって、鏡筒５０５及びレンズ押さえ６の固定を行うことができる。レンズ押さえ６を鏡筒５０５に螺合させることによって、第３赤外線レンズ５０３は軸方向に関してレンズ押さえ６及び第２スペーサ５０９に挟まれて強固に固定される。
【００６８】
実施の形態５に係るレンズユニットを組み立てる場合、まず、鏡筒５０５に第１赤外線レンズ５０１を挿入してレンズ保持部５５１に嵌合させて保持させた後、鏡筒５０５内を通してレンズ保持部５５１に形成された溝５５５へ光硬化型接着剤８を流し込み、鏡筒５０５内を通して光硬化型接着剤８へ紫外線を照射して硬化させる。次いで、鏡筒５０５内に第１スペーサ５０７を挿入して嵌合させ、第２赤外線レンズ５０２を背面が第１スペーサ５０７に当接するまで鏡筒５０５内に挿入して嵌合させた後、鏡筒５０５に形成された溝５５６へ光硬化型接着剤８を流し込み、鏡筒５０５を通して光硬化型接着剤８へ紫外線を照射して硬化させる。
【００６９】
次いで、鏡筒５０５内に第２スペーサ５０９を挿入して嵌合させ、第３赤外線レンズ５０３を背面が第２スペーサ５０９に当接するまで鏡筒５０５内に挿入して嵌合させ、第３赤外線レンズ５０３の調芯を行う。調芯作業の完了後、鏡筒５０５に形成された溝５５７へ光硬化型接着剤８を流し込み、紫外線を照射して硬化させる。その後、レンズ押さえ６及び鏡筒５０５を螺合させて、レンズユニットの組み立てが完了する。
【００７０】
以上の構成の実施の形態５に係るレンズユニットは、鏡筒５０５内に３つ以上の赤外線レンズを備える構成であっても、実施の形態１、２に係るレンズユニットと同様の構成の溝５５５、５５６、５５７を形成することによって、光硬化型接着剤８による第１〜第３赤外線レンズ５０１〜５０３及び鏡筒５０５の接着固定を行うことができるため、第１〜第３赤外線レンズ５０１〜５０３の固定を迅速に行うことができ、第１〜第３赤外線レンズ５０１〜５０３の位置ずれ又は偏心等が発生する虞がないため、レンズユニットの光学性能及び信頼性等を向上させることができる。
【００７１】
なお、実施の形態５に係るレンズユニットのその他の構成は、実施の形態１に係るレンズユニットの構成と同様であるため、同様の箇所には同じ符号を付して詳細な説明を省略する。
【００７２】
（実施の形態６）
図１２は、本発明の実施の形態６に係るレンズユニットの構成を示す断面図である。上述の実施の形態５に係るレンズユニットは、第１〜第３赤外線レンズ５０１〜５０３を全て鏡筒５０５に接着固定する構成であるが、実施の形態６に係るレンズユニットは、第１赤外線レンズ５０１及び第３赤外線レンズ５０３を鏡筒６０５に固定し、第２赤外線レンズ６０２を第１スペーサ６０７に固定する構成である。
【００７３】
実施の形態６に係るレンズユニットの鏡筒６０５は、実施の形態５に係るレンズユニットの鏡筒５０５と略同じ構成であるが、第１赤外線レンズ５０１を接着固定する光硬化型接着剤８を流し込むための溝５５５と、第３赤外線レンズ５０３を接着固定する光硬化型接着剤を流し込むための溝５５７とが内周面に形成され、第２赤外線レンズを接着固定するための溝は形成されていない。
【００７４】
また、実施の形態６に係るレンズユニットの第２赤外線レンズ６０２は、第１赤外線レンズ５０１より径が大きく、第３赤外線レンズ５０３より径が小さい。第２赤外線レンズ６０２は、正面側に凹面６２１を有し、背面側に凸面６２２を有するレンズであり、正面及び背面の周縁部分を平滑に形成した鍔部６２３を有している。
【００７５】
第１スペーサ６０７は、円筒状をなし、外径が鏡筒６０５の内径と略同じであり、正面側から第１スペーサ６０７を鏡筒６０５に挿入して嵌合させることができる。第１スペーサ６０７の内周面には、正面側端部近傍を階段状に拡径した環状のレンズ保持部６７１が形成してある。レンズ保持部６７１には第２赤外線レンズ６０２を挿嵌することができ、レンズ保持部６７１は第２赤外線レンズ６０２の周面６２４及び鍔部６２３の背面に接触する。
【００７６】
また、第１スペーサ６０７のレンズ保持部６７１には、第２赤外線レンズ６０２の周面６２４に接触する部分に、光硬化型接着剤８を流し込むための溝６７５が形成されている。溝６７５は、第２赤外線レンズ６０２の周面６２４が接触するレンズ保持部６７１の内周面から、第１スペーサ６０７の正面側の端面に通じるように形成され、第１スペーサ６０７の正面側端面に露出している。第１スペーサ６０７の軸方向に関して、溝６７５の長さは、第２赤外線レンズ６０２の周面６２４の長さ（幅）より小さい。また第１スペーサ６０７には、周方向に３つの溝６７５が等間隔で形成されている。これにより、第１スペーサ６０７に第２赤外線レンズ６０２を挿嵌して保持させた後、溝６７５へ光硬化型接着剤８を流し込み、紫外線を照射して硬化させることができる。
【００７７】
第２スペーサ５０９は、鏡筒６０５内に挿嵌された場合、背面側の端面が第１スペーサ６０７の正面側端面に当接し、正面側の端面が第３赤外線レンズ５０３の背面の平滑部分に当接する。即ち、第２スペーサ５０９は第１スペーサ６０７及び第３赤外線レンズ５０３の間に介在しており、更には第１スペーサ６０７及び第２スペーサ５０９が第１赤外線レンズ５０１及び第３赤外線レンズ５０３の間に介在して位置決めを行っている。
【００７８】
実施の形態６に係るレンズユニットを組み立てる場合、第１赤外線レンズ５０１を鏡筒６０５のレンズ保持部５５１に挿嵌して光硬化型接着剤８により接着固定した後、第１スペーサ６０７を鏡筒６０５に挿入して嵌合させる。次いで、第１スペーサ６０７のレンズ保持部６７１に第２赤外線レンズ６０２を挿嵌して保持させた後、レンズ保持部６７１に形成された溝６７５へ光硬化型接着剤８を流し込み、鏡筒６０５を通して光硬化型接着剤８へ紫外線を照射して硬化させる。なお、第１スペーサ６０７に第２赤外線レンズ６０２を接着固定した後で、第１スペーサ６０７を鏡筒６０５に挿嵌する手順でもよい。
【００７９】
次いで、第２スペーサ５０９を第１スペーサ６０７に当接するまで鏡筒６０５内に挿入して嵌合させ、第３赤外線レンズ５０３を第２スペーサ５０９に当接するまで鏡筒５０５内に挿入して嵌合させた後、第３赤外線レンズ５０３の調芯を行う。調芯作業の完了後、鏡筒５０５に形成された溝５５７へ光硬化型接着剤８を流し込み、紫外線を照射して硬化させる。その後、レンズ押さえ６及び鏡筒５０５を螺合させて、レンズユニットの組み立てが完了する。
【００８０】
以上の構成の実施の形態６に係るレンズユニットは、第１スペーサ６０７を第２赤外線レンズ６０２の鏡筒とみなし、鏡筒６０５の溝５５７と同様の構成で、第１スペーサ６０７に溝６７５を形成したものであり、レンズの大きさ又は形状等に応じて鏡筒又はスペーサに光硬化型接着剤８を流し込むための溝を形成することによって、レンズユニットが複数の赤外線レンズを有する場合であっても、光硬化型接着剤８を用いて各レンズを接着固定することができる。
【００８１】
なお、実施の形態６に係るレンズユニットのその他の構成は、実施の形態５に係るレンズユニットの構成と同様であるため、同様の箇所には同じ符号を付して詳細な説明を省略する。
【図面の簡単な説明】
【００８２】
【図１】本発明の実施の形態１に係るレンズユニットの構成を示す斜視図である。
【図２】本発明の実施の形態１に係るレンズユニットの構成を示す分解斜視図である。
【図３】本発明の実施の形態１に係るレンズユニットの構成を示す断面図である。
【図４】本発明の実施の形態１に係るレンズユニットの鏡筒に形成された溝の構成を示す模式図である。
【図５】本発明の実施の形態１の変形例に係るレンズユニットの鏡筒に形成された溝の構成を示す模式図である。
【図６】本発明の実施の形態２に係るレンズユニットの構成を示す断面図である。
【図７】本発明の実施の形態２の変形例に係るレンズユニットの構成を示す断面図である。
【図８】本発明の実施の形態３に係るレンズユニットの構成を示す断面図である。
【図９】本発明の実施の形態４に係るレンズユニットの構成を示す断面図である。
【図１０】本発明の実施の形態５に係るレンズユニットの構成を示す分解斜視図であり、
【図１１】本発明の実施の形態５に係るレンズユニットの構成を示す断面図である。
【図１２】本発明の実施の形態６に係るレンズユニットの構成を示す断面図である。
【符号の説明】
【００８３】
１  第１赤外線レンズ
２  第２赤外線レンズ
５  鏡筒
６  レンズ押さえ
７  スペーサ
８  光硬化型接着剤
１４  周面
２４  周面
５１  レンズ保持部
５５、５５ａ  溝
２０５、２０５ａ  鏡筒
２５６、２５６ａ  溝
３０７  スペーサ
３７１  凹部
４０１  第１赤外線レンズ
４０２  第２赤外線レンズ
４０５  鏡筒
４１５  溝
４２５  溝
５０１  第１赤外線レンズ
５０２  第２赤外線レンズ
５０３  第３赤外線レンズ
５０５  鏡筒
５０７  第１スペーサ
５０９  第２スペーサ
５１４、５２４、５３４  周面
５５５、５５６、５５７  溝
６０２  第２赤外線レンズ
６０７  第１スペーサ
６２４  周面
６７１  レンズ保持部
６７５  溝
【図１】
2010139566.tif 000003
【図２】
2010139566.tif 000004
【図３】
2010139566.tif 000005
【図４】
2010139566.tif 000006
【図５】
2010139566.tif 000007
【図６】
2010139566.tif 000008
【図７】
2010139566.tif 000009
【図８】
2010139566.tif 000010
【図９】
2010139566.tif 000011
【図１０】
2010139566.tif 000012
【図１１】
2010139566.tif 000013
【図１２】
2010139566.tif 000014